(57)【要約】    【課題】  光沢のある対象物の表面に設けられたダイレクトマーキングを確実に読み取ることができる手持ち操作型情報読取装置を提供する。    【解決手段】  カバー７０の内側面に配置された面光源であるＥＬ照明パネル５２によりダイレクトマーキングＱを側面側から照明するため、乱反射が起き難く、光沢のある対象物の表面に設けられたダイレクトマーキングを確実に読み取ることができる。更に、ＥＬ照明パネル５２を点灯してカバー７０の内側を照明する際に、液晶パネル６２を不透明にすることで、カバー７０を透過してカバー内へ外来光が入射するのを防ぎ、ダイレクトマーキングＱが外来光に影響されて読み取れなくなることを防止できる。【選択図】  図１
2008310631.tif 000002
【特許請求の範囲】
【請求項１】
撮像用開口からの入射光を結像レンズを通して受光センサの受光面上に像を結ばせる光学系を備え、撮像された対象物の画像により情報コードを読み取る手持ち操作型情報読取装置であって：
上端側開口と該上端側開口よりも広い下端側開口とを備える透明又は半透明のカバーであって、該上端側開口は前記撮像用開口に取り付けられ、該下端側開口が前記対象物に当接可能なカバーと、
透明又は半透明のＥＬ基板と、透明又は半透明の発光層とで形成されたＥＬ照明パネルから成る面光源であって、前記カバーに配置され、該カバーの内側を照明する面光源と、  電圧を印加した状態で不透明になり、電圧を印加しない状態で透明になる液晶パネルであって、前記カバーに配置され、不透明になることで前記面光源からの光が前記カバーの外側へ放射されるのを防ぐと共に前記カバーを透過してカバー内へ外来光が入射するのを防ぐ液晶パネルと、
情報コードを読み取る際に、前記面光源を点灯して前記カバーの内側を照明すると共に、前記液晶パネルを不透明にして、前記カバー内へ外来光が入射するのを防ぐ制御手段とを備えることを特徴とする手持ち操作型情報読取装置。
【請求項２】
前記制御手段は、前記面光源の点滅のデューティ比を調整することを特徴とする請求項１の手持ち操作型情報読取装置。
【請求項３】
前記制御手段は、前記面光源の明るさを調整することを特徴とする請求項１の手持ち操作型情報読取装置。
【請求項４】
前記ＥＬ照明パネルが裁頭円錐形状に形成され、円錐の軸方向に複数個に分割されていることを特徴とする請求項１〜請求項３のいずれか１の手持ち操作型情報読取装置。
【請求項５】
前記ＥＬ照明パネルが裁頭円錐形状に形成され、円周方向に複数個に分割されていることを特徴とする請求項１〜請求項３のいずれか１の手持ち操作型情報読取装置。
【請求項６】
前記ＥＬ照明パネルを複数備え、各ＥＬ照明パネルの配置角度が異ることを特徴とする請求項１〜請求項３のいずれか１の手持ち操作型情報読取装置。
【請求項７】
前記液晶パネルに情報を表示する時に、当該液晶パネルのバックライトとして前記面光源を点灯することを特徴とする請求項１〜請求項６のいずれか１の手持ち操作型情報読取装置。
【発明の詳細な説明】
【技術分野】
【０００１】
本発明は、凹凸により形成された情報コードを読み取ることができる情報読取装置に関し、特に、ハンディタイプの手持ち操作型情報読取装置に関するものである。
【背景技術】
【０００２】
情報コードとして、対象物に直接、刻印、印刷するダイレクトマーキングが用いられている。例えば、刻印のダイレクトマーキング（ドットインパクトダイレクトマーキング）は、対象物の表面に凹部又は凸部が形成されるのみなので、真上から照明しても反射率が異ならない場合が生じ、情報コードの各セル（凹部又は凸部）が情報読取装置で認識し難いことがある。係る場合には、斜めから照明する等の照明位置、照明方向を調整しながら読み取りを行っていた。特許文献１には、複数の発光ダイオードをリング状に配置し、ほぼ均一な配光特性を得るＬＥＤ照明装置が開示されている。
【特許文献１】特開２００３−１７９２６５号公報
【発明の開示】
【発明が解決しようとする課題】
【０００３】
上述した刻印のダイレクトマーキングを情報読取装置で読み取る際に、照明位置、照明方向を調整してもなかなか読み取れないことがあった。特許文献１では、複数の発光ダイオードで照明するため、完全に均一な配光特性は得ることができず、ダイレクトマーキングの照明に適用しても、読み取りが困難であった。
【０００４】
本発明は、上述した課題を解決するためになされたものであり、その目的とするところは、光沢のある対象物の表面に設けられたダイレクトマーキングを確実に読み取ることができる手持ち操作型情報読取装置を提供することにある。
【課題を解決するための手段】
【０００５】
請求項１の手持ち操作型情報読取装置では、カバーの内側面に配置された面光源により情報コードを側面側から照明するため、乱反射が起き難く、光沢のある対象物の表面に設けられたダイレクトマーキングを確実に読み取ることができる。また、カバーの下端側開口を対象物に当接させることで、情報コードと結像レンズとの間の距離を結像レンズの焦点距離と一致させることができ、受光センサで鮮明な画像を撮影することが可能となる。更に、カバーが透明又は半透明で、ＥＬ照明パネルが透明又は半透明で、液晶パネルが電圧を印加しない状態で透明であるので、カバーを通して情報コードを目視しながら手持ち操作型情報読取装置の位置合わせすることができ、位置合わせが容易である。更に、面光源を点灯してカバーの内側を照明して情報コードを読み取る際に、液晶パネルを不透明にして光がカバーの外側に漏れるのを防ぎ、情報コード側へ光を集中させることができる。同時に、情報コードを読み取る際に、液晶パネルを不透明にすることで、カバーを透過してカバー内へ外来光が入射するのを防ぎ、ダイレクトマーキングが外来光に影響されて読み取れなくなることを防止できる。
【０００６】
請求項２の手持ち操作型情報読取装置では、面光源の点滅のデューティ比を変えて光量を調整することで、コントラスト差を適正範囲に収斂させることができ、また、鏡面反射の光量を押さえて光沢のある対象物の表面に設けられたダイレクトマーキングを確実に読み取ることができる。
【０００７】
請求項３の手持ち操作型情報読取装置では、面光源の明るさを調整することで、コントラスト差を適正範囲に収斂させることができ、また、鏡面反射を押さえて光沢のある対象物の表面に設けられたダイレクトマーキングを確実に読み取ることができる。
【０００８】
請求項４の手持ち操作型情報読取装置では、裁頭円錐形状に形成されたＥＬ照明パネルが、円錐の軸方向に複数個に分割されているため、各ＥＬ照明パネルの点灯、消灯を切り換えることで、照明角度、照明距離を変えることができ、光沢のある対象物の表面に設けられたダイレクトマーキングを確実に読み取ることができる。
【０００９】
請求項５の手持ち操作型情報読取装置では、裁頭円錐形状に形成されたＥＬ照明パネルが、円周方向に複数個に分割されているため、各ＥＬ照明パネルの点灯、消灯を切り換えることで、照明方向を変えることができ、光沢のある対象物の表面に設けられたダイレクトマーキングを確実に読み取ることができる。
【００１０】
請求項６の手持ち操作型情報読取装置では、配置角度を異ならせて配置したＥＬ照明パネルの点灯、消灯を切り換えることで、照明角度を変えることができ、光沢のある対象物の表面に設けられたダイレクトマーキングを確実に読み取ることができる。
【００１１】
請求項７の手持ち操作型情報読取装置では、読み取りを行わない間で液晶パネルに情報を表示する時に、当該液晶パネルのバックライトとして面光源を点灯してするため、液晶パネルに表示する情報を視認し易くすることができる。
【発明を実施するための最良の形態】
【００１２】
[第１実施形態]
以下、本発明の手持ち操作型情報読取装置を２次元コードリーダに適用した第１実施形態について図を参照して説明する。まず、第１実施形態に係る２次元コードリーダ１０の構成概要を図１〜図３に基づいて説明する。
【００１３】
図１（Ａ）に示すように、２次元コードリーダ１０は、丸みを帯びた薄型のほぼ矩形箱状なすハウジング本体１１と、このハウジング本体１１の下面ほぼ中央後端寄りにハウジング本体１１に一体に形成されるグリップ部１２と、からなるガンタイプのハウジングを備えている。このグリップ部１２は、作業者が片手で把持可能な程度の外径に設定されており、当該グリップ部１２を握った作業者の人差し指が当接する部位に、読み取り開始を指示するトリガースイッチ１４が設けられている。
【００１４】
ハウジング本体１１の内部には、後述する回路部２０が収容されており、またハウジング本体１１の先端部には、カバー７０を支持する撮像用開口１１ａが形成されている。なお、図１（Ａ）には、回路部２０を構成するプリント配線板１５や、撮像用開口１１ａ近傍に配置される受光センサ２３、結像レンズ２７等が図示されている。
【００１５】
カバー７０は、透明なアクリルにより略裁頭円錐形状に形成され、上端側開口７０ａが、撮像用開口１１ａに固定され、下端側開口７０ｂは、読取対象物に当接可能に形成されている。上端側開口７０ａから下の部位は円筒形状の円筒部７０ｃが形成され、該円筒部７０ｃ内に受光センサ２３及び結像レンズ２７が収容されている。カバー７０は、アウター板７２ｏとインナー板７２ｉとの２層構造に成っており、該アウター板７２ｏとインナー板７２ｉとの間に、該カバー７０の内側を照らすＥＬ（Electro  Luminescence）照明パネル５２が収容されている。ＥＬ照明パネル５２は、カバー７０の底面図である図１（Ｂ）に示すように裁頭円錐形状に形成されている。該ＥＬ照明パネル５２の外周であって、アウター板７２ｏとインナー板７２ｉとの間に、液晶パネル６２が収容されている。
【００１６】
図３は、アウター板７２ｏとインナー板７２ｉとの間に配置されるＥＬ照明パネル５２及び液晶パネル６２の構成を示す説明図である。
ＥＬ照明パネル５２は、電極（Ａｇペースト）５２ｂと電極（Ａｇペースト）５２ｅとの間に透明な誘電体層５２ｃ及び透明な蛍光体層５２ｄを挟んでなり、電極５２ｂの外側には保護層５２ａが被覆され、電極５２ｅの外側には透明電極膜（ＩＴＯ膜）５２ｆが被覆され、これらを基材（ＰＥＴフィルム等透明材）５２ｇで保持してなる。ＥＬ照明パネル５２は、電圧を印加しない状態で透明であって、電圧を印加することで発光する。
【００１７】
液晶パネル６２は、透明電極（ＩＴＯ膜）６２ｂと透明電極（ＩＴＯ膜）６２ｅとの間に液晶６２ｃを挟んでなり、透明電極（ＩＴＯ膜）６２ｂの外側には保護シート６２ａが被覆され、これらを基材（ＰＥＴフィルム等透明材）６２ｇで保持してなる。該液晶パネル６２は、電圧を印加しない状態で透明であって、電圧を印加した状態で不透明となる。
【００１８】
図２に示すように、回路部２０は、主に、ＥＬ照明パネル５２、受光センサ２３、結像レンズ２７等の光学系と、ＥＬ照明パネル５２を駆動するＥＬドライバー回路５０、液晶パネル６２を駆動する液晶ドライバー回路６０、メモリ３５、制御回路４０、トリガースイッチ１４、液晶表示器４６等のマイクロコンピュータ（以下「マイコン」という）系と、電源スイッチ４１、電池４９等の電源系と、から構成されており、前述したプリント配線板１５に実装あるいはハウジング本体１１内に内装されている。
【００１９】
光学系は、ＥＬ照明パネル５２、受光センサ２３、結像レンズ２７等から構成されている。ＥＬ照明パネル５２は、照明光源として機能する。第１実施形態では、ＥＬ照明パネル５２が、裁頭円錐形状のカバーの下端に設けられており、情報コードＱに向けて照明光を斜め方向から照射可能に構成されている。なお、この読取対象物Ｒには、ダイレクトマーキングからなる情報コードＱが形成されている。
【００２０】
受光センサ２３は、読取対象物Ｒや情報コードＱに照射されて反射した反射光Ｌｒを受光可能に構成されるもので、例えば、Ｃ−ＭＯＳやＣＣＤ等の固体撮像素子である受光素子を１００万個オーダでｍ行ｎ列の２次元に配列したカラーエリアセンサが、これに相当する。受光センサ２３は、結像レンズ２７を介して入射する入射光をこの受光面２３ａで受光可能に配置されている。
【００２１】
結像レンズ２７は、外部から撮像用開口１１ａを介して入射する入射光を集光して受光センサ２３の受光面２３ａに像を結像可能な結像光学系として機能するもので、例えば、鏡筒とこの鏡筒内に収容される複数の集光レンズにより構成されている。なお、結像レンズ２７の焦点距離は、カバー７０の下端側開口７０ｂの位置になるように調整されている。これにより、カバー７０の下端側開口７０ｂを対象物Ｒに当接させた状態で、情報コードＱと結像レンズ２７との間の距離を結像レンズ２７の焦点距離に一致させることができ、受光センサ２３で鮮明な画像を撮影することが可能となる。
【００２２】
マイコン系は、増幅回路３１、Ａ／Ｄ変換回路３３、メモリ３５、アドレス発生回路３６、同期信号発生回路３８、制御回路４０、ＥＬドライバー回路５０、液晶パネル６２、液晶ドライバー回路６０、トリガースイッチ１４、ＬＥＤ４３、ブザー４４、液晶表示器４６、通信インタフェース４８等から構成されている。このマイコン系は、その名の通り、マイコン（情報処理装置）として機能し得る制御回路４０およびメモリ３５と中心に構成されるもので、前述した光学系によって撮像されたコード像の画像信号をハードウェア的およびソフトウェア的に信号処理し得るものである。また制御回路４０は、本願の制御手段を構成するものであり、２次元コードリーダ１０の全体システムに関する制御も行っている。
【００２３】
光学系の受光センサ２３から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、所定のコード像画像情報格納領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２４】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。またＲＯＭには、画像処理プログラムの他、ＥＬ照明パネル５２、液晶パネル６２、受光センサ２３等の各ハードウェアを制御可能なシステムプログラム等が予め格納されている。
【００２５】
制御回路４０は、２次元コードリーダ１０全体を制御可能なマイコンで、ＣＰＵ、システムバス、入出力インタフェース等からなるもので、メモリ３５とともに情報処理装置を構成する。この制御回路４０には、内蔵された入出力インタフェースを介して種々の入出力装置（周辺装置）と接続可能に構成されており、第１実施形態の場合、電源スイッチ４１、トリガースイッチ１４、ＬＥＤ４３、ブザー４４、液晶表示器４６、通信インタフェース４８等を接続されている。これにより、例えば、電源スイッチ４１やトリガースイッチ１４の監視や管理、またインジケータとして機能するＬＥＤ４３の点灯・消灯、ビープ音やアラーム音を発生可能なブザー４４の鳴動のオンオフ、さらには読み取った情報コードＱによるコード内容を画面表示可能な液晶表示器４６の画面制御や外部機器とのシリアル通信を可能にする通信インタフェース４８の通信制御等を可能にしている。
【００２６】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。
【００２７】
このように２次元コードリーダ１０を構成することによって、例えば、電源スイッチ４１がオンされて所定の自己診断処理等が正常終了し、作業者が、トリガースイッチ１４を押圧しオンにすると、制御回路４０が同期信号を基準に液晶パネル６２に発光信号を出力する。これにより、当該発光信号を受けた液晶パネル６２は、照明光を照射するため、撮像視野内に位置する情報コードＱが照射されてその反射光Ｌｒが撮像用開口１１ａを介して結像レンズ２７に入射する。このため、受光センサ２３の受光面２３ａには、結像レンズ２７によりコード像が結像され、それぞれの像が受光センサ２３の受光素子に対して露光可能となる。
【００２８】
引き続き、第１実施形態の２次元コードリーダ１０での、ＥＬ照明パネル５２及び液晶パネル６２の制御タイミングについて図４のタイミングチャートを参照して説明する。
２次元コードリーダ１０の制御回路４０は、トリガースイッチ１４が操作されると、先ず、液晶ドライバー回路６０を介して液晶パネル６２に電圧を印加して、液晶パネル６２を不透明にし、カバー７０内への外来光の入射を防ぐ。そして、ＥＬドライバー回路５０を介してＥＬ照明パネル５２に電圧を印加し、ＥＬ照明パネル５２を発光させ、カバー７０内の情報コードＱを照明する。そして、受光センサ２３を露光する。受光センサ２３の露光を終了した後、ＥＬ照明パネル５２を消灯し、液晶パネル６２を透明な状態に戻す。
【００２９】
第１実施形態の２次元コードリーダ１０での照明の調整について、図４（Ｂ）及び図５のフローチャートを参照して説明する。
トリガースイッチの操作が有ると（Ｓ１２：Ｙｅｓ）、情報コードの読み取りを行い（Ｓ１４）、デコードが成功したか否かを判断する（Ｓ１８）。デコードに成功すると（Ｓ１８：Ｙｅｓ）、デコード結果を通信インタフェース４８を介して外部機器に送信して（Ｓ２０）、処理を終了する。他方、デコードに失敗すると（Ｓ１８：Ｎｏ）、照明を調整し（Ｓ２２）、再度読み取りを行う（Ｓ１４）。例えば、図４（Ｂ）に示すように、ＥＬ照明パネル５２の点灯・消灯のデューティ比を変えることで、適切な光量を探し出し、情報コードの読み取りを行う。
【００３０】
第１実施形態の２次元コードリーダ１０では、カバー７０の内側面に配置された面光源であるＥＬ照明パネル５２により情報コードＱを側面側から照明するため、乱反射が起き難く、光沢のある対象物の表面に設けられたダイレクトマーキングを確実に読み取ることができる。また、カバー７０が透明で、ＥＬ照明パネル５２が透明で、液晶パネル６２が電圧を印加しない状態で透明であるので、カバー７０を通して情報コードＱを目視しながら２次元コードリーダ１０の位置合わせすることができ、位置合わせが容易である。更に、ＥＬ照明パネル５２を点灯してカバー７０の内側を照明して情報コードを読み取る際に、液晶パネル６２を不透明にして光がカバー７０の外側に漏れるのを防ぎ、情報コード側へ光りを集中させることができる。同時に、液晶パネル６２を不透明にすることで、カバー７０を透過してカバー内へ外来光が入射するのを防ぎ、情報コード（ダイレクトマーキング）Ｑが外来光に影響されて読み取れなくなることを防止できる。
【００３１】
また、第１実施形態の２次元コードリーダ１０では、ＥＬ照明パネル５２の点滅のデューティ比を変えて光量を調整することで、コントラスト差を適正範囲に収斂させることができ、また、鏡面反射の光量を押さえて光沢のある対象物の表面に設けられたダイレクトマーキングを確実に読み取ることができる。
【００３２】
[第１実施形態の改変例]
引き続き、第１実施形態の改変例について説明する。
第１実施形態の改変例の機械的、回路的構成は図１、図２を参照して上述した第１実施形態と同様である。第１実施形態では、ＥＬ照明パネル５２の点滅のデューティ比を変えて光量を調整した。これに対して、第１実施形態の改変例では、例えば、図４（Ｃ）に示すように光量が不足するときは、ＥＬ照明パネル５２への印加電圧を高め、照明を明るくし、反対に、光量が過剰のときには、ＥＬ照明パネル５２への印加電圧を下げ、照明を暗くする。
【００３３】
第１実施形態の改変例では、ＥＬ照明パネル５２の明るさを調整することで、コントラスト差を適正範囲に収斂させることができ、また、鏡面反射を押さえて光沢のある対象物の表面に設けられたダイレクトマーキングを確実に読み取ることができる。
【００３４】
[第２実施形態]
次に、本発明の第２実施形態に係る２次元コードリーダ１０について図６を参照して説明する。
第２実施形態の２次元コードリーダ１０は、カバー７０が、矩形に近い裁頭円錐形状で形成されている。この第２実施形態の２次元コードリーダ１０では、情報コードＱに対して、横方向からＥＬ照明パネル５２により照明できるので、結像レンズ２７への乱反射光を抑え、光沢のある対象物の表面に設けられたダイレクトマーキングを更に確実に読み取ることができる。
【００３５】
[第３実施形態]
引き続き、本発明の第３実施形態に係る２次元コードリーダ１０について図７を参照して説明する。
第２実施形態の２次元コードリーダ１０は、カバー７０が、半円形状で形成されている。この第３実施形態の２次元コードリーダ１０では、情報コードＱに対して３６０°均等な方向から照明できるので、ダイレクトマーキングを確実に読み取ることができる。
【００３６】
[第４実施形態]
次に、本発明の第４実施形態に係る２次元コードリーダ１０について図８及び図９を参照して説明する。
図８（Ａ）は第４実施形態に係る２次元コードリーダの断面図であり、図８（Ｂ）はカバー７０の底面図である。第１実施形態では、裁頭円錐形状のカバー７０にＥＬ照明パネル５２が一枚配置された。これに対して、第４実施形態では、ＥＬ照明パネル５２が２分割され、上側のＥＬ照明パネル５２Ｕと、下側のＥＬ照明パネル５２Ｄとの２枚で構成されている。
【００３７】
図９は、第４実施形態の２次元コードリーダの照明の切り換えを示すフローチャートである。
トリガースイッチの操作が有ると（Ｓ１２：Ｙｅｓ）、先ず、下側のＥＬ照明パネル５２Ｄを点灯し情報コードの読み取りを行い（Ｓ１４）、デコードが成功したか否かを判断する（Ｓ１８）。デコードに成功すると（Ｓ１８：Ｙｅｓ）、デコード結果を通信インタフェース４８を介して外部機器に送信して（Ｓ２０）、処理を終了する。他方、デコードに失敗すると（Ｓ１８：Ｎｏ）、照明を上側のＥＬ照明パネル５８Ｕ側に切り換え（Ｓ２２）、再度読み取りを行う（Ｓ１４）。更に、デコードに失敗すると（Ｓ１８：Ｎｏ）、照明を下側のＥＬ照明パネル５２Ｄ及び上側のＥＬ照明パネル５８Ｕの同時点灯に切り換え（Ｓ２２）、再度読み取りを行う（Ｓ１４）。
【００３８】
第４実施形態の２次元コードリーダ１０では、裁頭円錐形状に形成されたＥＬ照明パネルが、円錐の軸方向に複数個に分割されているため、上側のＥＬ照明パネル５２Ｕ及び下側のＥＬ照明パネル５２Ｄの点灯、消灯を切り換えることで、照明角度、照明距離を変えることができ、光沢のある対象物の表面に設けられたダイレクトマーキングを確実に読み取ることができる。
【００３９】
[第５実施形態]
引き続き、本発明の第５実施形態に係る２次元コードリーダ１０について図１０を参照して説明する。
図１０（Ａ）は第５実施形態に係る２次元コードリーダの断面図であり、図１０（Ｂ）はカバー７０の底面図である。第４実施形態の２次元コードリーダ１０では、裁頭円錐形状に形成されたＥＬ照明パネルが、円錐の軸方向に２分割されていた。これに対して、第５実施形態では、裁頭円錐形状に形成されたＥＬ照明パネルが円周方向に２分割され、右側のＥＬ照明パネル５２Ｒと、左側のＥＬ照明パネル５２Ｌとの２枚で構成されている。
【００４０】
第５実施形態の２次元コードリーダ１０では、裁頭円錐形状に形成されたＥＬ照明パネルが、円周方向に２分割されているため、図９を参照して上述した第４実施形態と同様に右側のＥＬ照明パネル５２Ｒ及び左側のＥＬ照明パネル５２Ｌの点灯、消灯を切り換えることで、照明方向を変えることができ、光沢のある対象物の表面に設けられたダイレクトマーキングを確実に読み取ることができる。
【００４１】
[第６実施形態]
次に、本発明の第６実施形態に係る２次元コードリーダ１０について図１１を参照して説明する。
図１１は第６実施形態に係る２次元コードリーダの断面図である。第６実施形態では、直立に近い角度で配置され横方向に照明する下側のＥＬ照明パネル５２Ｄと、傾斜して配置され、斜め方向に照明する上側のＥＬ照明パネル５２Ｕとがカバー７０に配置されている。この第６実施形態でも、第４実施形態と同様に上側のＥＬ照明パネル５２Ｕ及び下側のＥＬ照明パネル５２Ｄの点灯、消灯が切り換えられる。
【００４２】
第６実施形態の２次元コードリーダ１０では、配置角度を異ならせて配置した上側のＥＬ照明パネル５２Ｕ及び下側のＥＬ照明パネル５２Ｄの点灯、消灯を切り換えることで、照明角度を変えることができ、光沢のある対象物の表面に設けられたダイレクトマーキングを確実に読み取ることができる。
【００４３】
[第７実施形態]
第７実施形態の２次元コードリーダ１０について、図１２及び図１３を参照して説明する。
第７実施形態の２次元コードリーダ１０では、デコード結果を液晶パネル６２に表示する。この表示の際に、ＥＬ照明パネルを液晶パネル６２のバックライトとして点灯することで、表示を読み易くする。
【００４４】
図１３（Ａ）は第７実施形態での液晶パネルでの表示領域の説明図である。図１３（Ａ）では、液晶パネル６２を上側から見ている。ここで、グリップ部１２は、図中で２７０°の方向に取り付けられている。０°〜６０°（エリア（１））は、正面からは表示が読み取れないが、横からのみ読み取れる。６０°〜１８０°（エリア（２））は、正面でそのまま目測できる。１８０°〜２４０°（エリア（３））は、正面からは表示が読み取れないが、横からのみ読み取れる。２４０°〜３６０°（エリア（４））は、２次元コードリーダのハウジング本体側になって目視できない。このため、第７実施形態では、液晶パネル６２の１８０°〜２４０°（エリア（３））の角度範囲において、情報の表示を行う。
【００４５】
ここで、円錐形状の液晶パネル６２に情報の表示を行うため、そのまま情報（文字）を表示しては判読が困難になる。このため、第７実施形態では、文字表示を変形して見易くする。図１３（Ｂ）は、裁頭円錐形状の液晶パネル６２を展開して示す説明図である。上側の端面を展開した外周の長さをＡ、下側の端面を展開した外周の長さをＢ、稜線に沿った長さをＬ、上側の端面から文字までの距離をａとして、距離ａを基準として、次式により文字表示を変形する。
【数１】
2008310631.tif 000003
【００４６】
第７実施形態の２次元コードリーダ１０では、読み取りを行わない間で液晶パネル６２に情報を表示する時に、当該液晶パネルのバックライトとして面光源を点灯してするため、液晶パネル６２に表示する情報を視認し易くすることができる。
【産業上の利用可能性】
【００４７】
上述した第４〜第６実施形態では、ＥＬ照明パネルが２分割されたが、ＥＬ照明パネルを３個以上に分割し、点灯・消灯を切り換えることも可能である。また、該実施形態では、液晶パネルの点灯・消灯の切り換えを自動で行ったが、これを手動で行うこともできる。
【図面の簡単な説明】
【００４８】
【図１】図１（Ａ）は本発明の第１実施形態に係る２次元コードリーダの断面図であり、図１（Ｂ）はカバーの底面図である。
【図２】図１に示す２次元コードリーダの回路構成を示すブロック図である。
【図３】アウター板とインナー板との間に配置されるＥＬ照明パネル及び液晶パネルの構成を示す説明図である。
【図４】図４（Ａ）、図４（Ｂ）は、第１実施形態に係る２次元コードリーダのＥＬ照明パネル５２及び液晶パネル６２の制御タイミングのタイミングチャートであり、図４（Ｃ）は、第１実施形態の改変例に係る２次元コードリーダの制御タイミングのタイミングチャートである。
【図５】第１実施形態の２次元コードリーダの照明の調整を示すフローチャートである。
【図６】本発明の第２実施形態に係る２次元コードリーダの断面図である。
【図７】本発明の第３実施形態に係る２次元コードリーダの断面図である。
【図８】図８（Ａ）は第４実施形態に係る２次元コードリーダの断面図であり、図８（Ｂ）はカバーの底面図である。
【図９】第４実施形態の２次元コードリーダの照明の切り換えを示すフローチャートである。
【図１０】図１０（Ａ）は第５実施形態に係る２次元コードリーダの断面図であり、図１０（Ｂ）はカバーの底面図である。
【図１１】本発明の第６実施形態に係る２次元コードリーダの断面図である。
【図１２】本発明の第７実施形態に係る２次元コードリーダの説明図である。
【図１３】図１３（Ａ）は第７実施形態での液晶パネルでの表示領域の説明図であり、図１３（Ｂ）は表示文字の変形の説明図である。
【符号の説明】
【００４９】
１０  ２次元コードリーダ（手持ち操作型情報読取装置）
１１ａ  撮像用開口
１４  トリガースイッチ
２３  受光センサ
２７  結像レンズ
４０  制御回路（制御手段）
５２、５２Ｄ、５２Ｕ、５２Ｒ、５２Ｌ  照明パネル（面光源）
５２ｃ  誘電層（ＥＬ基板）
５２ｄ  蛍光体層（発光層）
６２  液晶パネル
７０  カバー
【図１】
2008310631.tif 000004
【図２】
2008310631.tif 000005
【図３】
2008310631.tif 000006
【図４】
2008310631.tif 000007
【図５】
2008310631.tif 000008
【図６】
2008310631.tif 000009
【図７】
2008310631.tif 000010
【図８】
2008310631.tif 000011
【図９】
2008310631.tif 000012
【図１０】
2008310631.tif 000013
【図１１】
2008310631.tif 000014
【図１２】
2008310631.tif 000015
【図１３】
2008310631.tif 000016